(57)【要約】【課題】切花を簡単に水に挿した状態で梱包でき、使用後の処分も容易な切花輸送用の保水容器を提供することを課題とする。【解決手段】外箱の底部に挿入して、切花を水に挿した状態で輸送する切花輸送用の保水容器において、段ボール製の枠体１と、プラスチックフィルム製の袋２とから成り、枠体１のブランクを、底板３の端縁に各一対の起立板４，５を連設し、起立板４，５の先端部分に額縁部７，８を設け、全幅に亘る中折線６を入れた構成とし、このブランクを中折線６に沿って二つ折りにした状態で、袋２を起立板４の内側に貼り付けておき、切花の梱包時にブランクの折り曲げを伸ばし、底板３から起立板４，５を起立させて、額縁部７，８を巻き込むように折り曲げると、枠体１が組み立てられると共に、袋２が開口して、その開口部が内側へ折り込まれ、漏水防止用の鍔が形成されるようにする。【選択図】図１
2005329976.tif 000002
【特許請求の範囲】
【請求項１】
外箱の底部に挿入して、切花を水に挿した状態で輸送する切花輸送用の保水容器において、段ボール製の枠体と、プラスチックフィルム製の袋とから成り、枠体のブランクを、底板の一対の端縁に起立板を連設し、起立板の先端部分に額縁部を設け、全幅に亘る中折線を入れた構成とし、このブランクを中折線に沿って二つ折りにした状態で、袋を起立板の内側に貼り付けておき、切花の梱包時にブランクの折り曲げを伸ばし、底板から起立板を起立させて、額縁部を巻き込むように折り曲げると、枠体が組み立てられると共に、袋が開口して、その開口部が内側へ折り込まれ、漏水防止用の鍔が形成されるようにしたことを特徴とする切花輸送用の保水容器。
【請求項２】
前記枠体の底板の他対の端縁にも中折線を有する起立板を連設し、この起立板を底板から起立させて、隣接する起立板同士を係合させ、これらの起立板の起立状態を維持するようにしたことを特徴とする請求項１に記載の切花輸送用の保水容器。
【発明の詳細な説明】
【技術分野】
【０００１】
この発明は、切花を水に挿して鮮度を保ちつつ、輸送できるようにした切花輸送用の保水容器に関するものである。
【背景技術】
【０００２】
従来、切花輸送用の梱包体として、図１１に示すように、段ボール製の外箱５１及び台枠５２から成り、外箱５１の底部に台枠５２を挿入し、この台枠５２で鉢状の容器５３を保持して、容器５３に入れた土に切花５４を植えたままの状態で、切花５４を輸送できるようにしたものが使用されている（下記特許文献１参照）。
【０００３】
【特許文献１】実公平４−３９１３２号公報（第５図）
【発明の開示】
【発明が解決しようとする課題】
【０００４】
ところで、上記のような梱包体の容器５３に水を入れ、切花を水に挿した状態で輸送するには、外箱５１が倒れても水が漏れないように、容器５３として開口部に中心方向への鍔を有するプラスチック成形体を使用する。
【０００５】
しかしながら、このような梱包体では、切花の梱包に際し、台枠５２の組み立てや容器５３のセットに手間がかかり、輸送先での開梱後に不要となった容器５３が嵩高い不燃ごみとして発生するという問題がある。
【０００６】
そこで、この発明は、切花を簡単に水に挿した状態で梱包でき、使用後の処分も容易な植物の湿式輸送容器を提供することを課題とする。
【課題を解決するための手段】
【０００７】
上記課題を解決するため、この発明は、外箱の底部に挿入して、切花を水に挿した状態で輸送する切花輸送用の保水容器において、段ボール製の枠体と、プラスチックフィルム製の袋とから成り、枠体のブランクを、底板の一対の端縁に起立板を連設し、起立板の先端部分に額縁部を設け、全幅に亘る中折線を入れた構成とし、このブランクを中折線に沿って二つ折りにした状態で、袋を起立板の内側に貼り付けておき、切花の梱包時にブランクの折り曲げを伸ばし、底板から起立板を起立させて、額縁部を巻き込むように折り曲げると、枠体が組み立てられると共に、袋が開口して、その開口部が内側へ折り込まれ、漏水防止用の鍔が形成されるようにしたのである。
【０００８】
また、前記枠体の底板の他対の端縁にも中折線を有する起立板を連設し、この起立板を底板から起立させて、隣接する起立板同士を係合させ、これらの起立板の起立状態を維持するようにしたのである。
【発明の効果】
【０００９】
このような保水容器では、切花の出荷に際し、二つ折りにされた枠体のブランクを伸ばして組み立てるだけで、袋が開口するので、袋への水と切花の収容が可能となり、出荷に伴う作業の負担が軽減される。また、枠体の組み立てに伴い、袋の開口部が折り込まれて鍔が形成されるので、輸送中に外箱が倒れても、水漏れすることがない。
【００１０】
そして、使用後には、枠体から袋を分離し、袋を嵩低く丸めた状態で、不燃物として処分することができる。
【発明を実施するための最良の形態】
【００１１】
まず、この発明の第１実施形態に係る切花輸送用の保水容器を、図１乃至図５に基づいて説明する。図１に示すように、この保水容器は、枡形に組み立てられる段ボール製の枠体１にプラスチックフィルム製の袋２を内装したものである。
【００１２】
枠体１のブランクでは、図２に示すように、矩形の底板３の一対の端縁に起立板４が、他対の端縁に起立板５がそれぞれ連設され、底板３から起立板５に亘ってブランクの中央を横切る中折線６が入れられている。
【００１３】
起立板４，５の先端部分には、額縁部７，８がそれぞれ設けられ、額縁部７，８の先端部分には、折曲片９，１０がそれぞれ設けられている。このうち、折曲片９の両側基部には切込１１が形成されている。
【００１４】
上記のようなブランクから保水容器を製造する際には、図３に示すように、ブランクを中折線６に沿って二つ折りにした状態で、袋２を起立板４の内側に接着剤や粘着テープで貼り付ける。ここで、袋２としては、襠の大きいガセット袋や通常の平袋を使用することができる。このような折畳状態で保水容器を保管しておくと、嵩張ることがない。
【００１５】
そして、この保水容器を使用して切花を梱包する際には、図４に示すように、ブランクの折り曲げを伸ばして、底板３から起立板４を起立させ、図５に示すように、額縁部７を巻き込むように折り曲げ、折曲片９が下方へ向くようにする。これにより、袋２が開口して、その開口部が内側へ折り込まれ、鍔が形成される。
【００１６】
その後、底板３から起立板５を起立させ、額縁部８を巻き込むように折り曲げ、折曲片１０が下方へ向くようにし、切込１１に額縁部８の両端部を差し込むと、図１に示すように、隣接する起立板４，５同士が係合して、それらの起立状態が維持されるので、袋２に水を入れ、切花を収容することが可能となる。
【００１７】
このように、上記保水容器では、切花の出荷に際し、二つ折りにされた枠体１のブランクを伸ばして組み立てるだけで、袋２が開口し、袋２に水と切花を収容できるので、出荷に伴う作業の負担が軽減される。また、枠体１の組み立てに伴い、袋２の開口部が折り込まれて鍔が形成されるので、輸送中に外箱が倒れても、水漏れすることがない。
【００１８】
そして、切花が送り先に到着して梱包体を開梱した後においては、外箱から取り出した枠体１から袋２を引き剥がし、袋２を嵩低く丸めた状態で、不燃物として処分することができるので、不燃ごみの減量化を図ることができる。
【００１９】
次に、この発明の第２実施形態に係る切花輸送用の保水容器を、図６乃至図１０に基づいて説明する。図６に示すように、この保水容器は、上窄まり形状に組み立てられる段ボール製の枠体１にプラスチックフィルム製の袋２を内装したものである。
【００２０】
枠体１のブランクでは、図７に示すように、矩形の底板３の一対の端縁に先端側が広がった起立板４が連設され、この起立板４に両側基端から山形をなすように斜折線１２が入れられている。起立板４の先端部分に設けられた額縁部７は、中央に谷折線１３を有するＶ字状とされ、額縁部７の両側方には差込片１４が設けられている。
【００２１】
また、底板３の他対の端縁に連設された起立板５の先端部分には、折曲部１５が設けられ、その中央部には差込穴１６が形成されている。そして、底板３及び両側の起立板５には、ブランクの中央を横切る中折線６が入れられている。
【００２２】
上記のようなブランクから保水容器を製造する際には、第１実施形態と同様、図８に示すように、ブランクを中折線６に沿って二つ折りにした状態で、袋２を起立板４の内側に貼り付ける。ここで、袋２としては、襠の大きいガセット袋や通常の平袋を使用することができる。このような折畳状態で保水容器を保管しておくと、嵩張ることがない。
【００２３】
そして、この保水容器を使用して切花を梱包する際には、図９に示すように、ブランクの折り曲げを伸ばして、底板３から起立板４を起立させ、図１０に示すように、対向する起立板４を斜折線１２沿いに折り曲げつつ、額縁部７を谷折線１３沿いに屈曲させて巻き込むように折り曲げ、差込片１４同士を突き合わせる。これにより、袋２が開口して、その開口部が絞られた状態で内側へ折り込まれる。
【００２４】
その後、底板３から起立板５を起立させ、折曲部１５を内側へ折り曲げて、各差込穴１６にそれぞれ重ね合わせた２枚の差込片１４を差し込むと、図６に示すように、隣接する起立板４，５同士が係合して、それらの起立状態が維持されるので、袋２に水を入れ、切花を収納することが可能となる。
【００２５】
このような保水容器においても、切花の出荷に際し、二つ折りにされた枠体１のブランクを伸ばして組み立てるだけで、袋２が開口し、袋２に水と切花を収容できるので、出荷に伴う作業の負担が軽減される。また、枠体１の組み立てに伴い、袋２の開口部が折り込まれて鍔が形成されるので、輸送中に外箱が倒れても、水漏れすることがない。
【００２６】
そして、切花が送り先に到着して梱包体を開梱した後においては、外箱から取り出した枠体１から袋２を引き剥がし、袋２を嵩低く丸めた状態で、不燃物として処分することができるので、不燃ごみの減量化を図ることができる。
【００２７】
なお、上記各実施形態では、保形性を向上させるため、起立板５を設けて、隣接する起立板４と係合させることとしたが、外箱へ挿入すると、起立板４の起立状態は維持されるので、起立板５は省略することもできる。
【図面の簡単な説明】
【００２８】
【図１】この発明の第１実施形態に係る保水容器の組立状態を示す斜視図
【図２】同上の枠体のブランクを示す図
【図３】同上の折畳状態を示す斜視図
【図４】同上の組立過程を示す斜視図
【図５】同上の組立過程を示す斜視図
【図６】この発明の第２実施形態に係る保水容器の組立状態を示す斜視図
【図７】同上の枠体のブランクを示す図
【図８】同上の折畳状態を示す斜視図
【図９】同上の組立過程を示す斜視図
【図１０】同上の組立過程を示す斜視図
【図１１】従来の切花の梱包体を示す斜視図
【符号の説明】
【００２９】
１  枠体
２  袋
３  底板
４，５  起立板
６  中折線
７，８  額縁部
９，１０  折曲片
１１  切込
１２  斜折線
１３  谷折線
１４  差込片
１５  折曲部
１６  差込穴
【図１】
2005329976.tif 000003
【図２】
2005329976.tif 000004
【図３】
2005329976.tif 000005
【図４】
2005329976.tif 000006
【図５】
2005329976.tif 000007
【図６】
2005329976.tif 000008
【図７】
2005329976.tif 000009
【図８】
2005329976.tif 000010
【図９】
2005329976.tif 000011
【図１０】
2005329976.tif 000012
【図１１】
2005329976.tif 000013